(57)【要約】【課題】高密度記録を行うことができる記録装置及び記録方法を提供すること。【解決手段】記録データに基づいてライトストラテジ信号を生成する信号生成部１１と、ライトストラテジ信号に基づいてレーザ光を出射するレーザ光源部１２と、レーザ光源部１２から出射されたレーザ光を追記型記録媒体上に集光して記録マークを形成する記録部１３と、を備える。信号生成部１１は、記録データに基づいて、２段階又は３段階の駆動波形によりライトストラテジ信号を生成する。レーザ光源部１２は、ライトストラテジ信号が２段階の駆動波形の場合、第１記録パワーと、第１記録パワーよりも強い第２記録パワーのレーザ光を組み合わせて出射し、ライトストラテジ信号が３段階の駆動波形の場合には、第１記録パワーと、第２記録パワーと、第１記録パワーよりも強くかつ第２記録パワーよりも弱い第３記録パワーのレーザ光を組み合わせて出射する。【選択図】図２
2015005323.tif 000002
【特許請求の範囲】
【請求項１】
所定の無機系記録材料から構成される記録膜を有する追記型記録媒体に対して情報を記録する記録装置において、
記録データに基づいてライトストラテジ信号を生成する信号生成部と、
前記ライトストラテジ信号に基づいてレーザ光を出射するレーザ光源部と、
前記レーザ光源部から出射されたレーザ光を前記追記型記録媒体上に集光して記録マークを形成する記録部と、を備え、
前記信号生成部は、前記記録データに基づいて、連続するＨｉｇｈ信号の数がｎ個以下の場合には、２段階の駆動波形により前記ライトストラテジ信号を生成し、連続するＨｉｇｈ信号の数がｎ個よりも多い場合には、３段階の駆動波形により前記ライトストラテジ信号を生成し、
前記レーザ光源部は、前記ライトストラテジ信号が２段階の駆動波形の場合、当該駆動波形に基づいて、第１記録パワーと、前記第１記録パワーよりも強い第２記録パワーのレーザ光を組み合わせて出射し、前記ライトストラテジ信号が３段階の駆動波形の場合には、当該駆動波形に基づいて、前記第１記録パワーと、前記第２記録パワーと、前記第１記録パワーよりも強くかつ前記第２記録パワーよりも弱い第３記録パワーのレーザ光を組み合わせて出射する記録装置。
【請求項２】
前記記録部は、前記レーザ光源部から出射されたレーザ光を前記追記型記録媒体上に集光する固体浸レンズを有する近接場光記録部により構成される請求項１記載の記録装置。
【請求項３】
前記第１記録パワーは、バイアスパワーであり、
前記第２記録パワーは、最大記録パワーであり、
前記第３記録パワーは、緩和記録パワーである請求項１又は２記載の記録装置。
【請求項４】
前記バイアスパワーは、前記最大記録パワーの２０パーセントから５０パーセントのパワーである請求項３記載の記録装置。
【請求項５】
前記緩和記録パワーは、前記最大記録パワーの８５パーセントから９８パーセントのパワーである請求項３記載の記録装置。
【請求項６】
所定の無機系記録材料から構成される記録膜を有する追記型記録媒体に対して情報を記録する記録方法において、
記録データに基づいてライトストラテジ信号を生成する信号生成工程と、
前記ライトストラテジ信号に基づいてレーザ光を出射するレーザ光出射工程と、
前記レーザ光出射工程により出射されたレーザ光を前記追記型記録媒体上に集光する集光工程と、を備え、
前記信号生成工程は、前記記録データに基づいて、連続するＨｉｇｈ信号の数がｎ個以下の場合には、２段階の駆動波形により前記ライトストラテジ信号を生成し、連続するＨｉｇｈ信号の数がｎ個よりも多い場合には、３段階の駆動波形により前記ライトストラテジ信号を生成し、
前記レーザ光出射工程は、前記ライトストラテジ信号が２段階の駆動波形の場合、当該駆動波形に基づいて、第１記録パワーと、前記第１記録パワーよりも強い第２記録パワーのレーザ光を組み合わせて出射し、前記ライトストラテジ信号が３段階の駆動波形の場合には、当該駆動波形に基づいて、前記第１記録パワーと、前記第２記録パワーと、前記第１記録パワーよりも強くかつ前記第２記録パワーよりも弱い第３記録パワーのレーザ光を組み合わせて出射する記録方法。
【発明の詳細な説明】
【技術分野】
【０００１】
本発明は、追記型記録媒体に対して情報を記録する記録装置及び記録方法に関する。
【背景技術】
【０００２】
現在、光を利用した情報記録媒体として、波長が約４０５ｎｍのレーザ光と、対物レンズの開口数（Ｎｕｍｅｒｉｃａｌ  Ａｐｅｒｔｕｒｅ，ＮＡ）が０．８５の対物レンズにより情報を記録する光ディスク（ブルーレイディスク（Ｂｌｕ−ｒａｙ  Ｄｉｓｃ）（登録商標）（以下、ＢＤという。））が規格化され、実用化されている。
【０００３】
ＢＤには、追記型のＢＤ−Ｒと、書き換え型のＢＤ−ＲＥがある。また、レーザ波長、ＮＡの異なる媒体としては、ＤＶＤ−Ｒ、ＤＶＤ−ＲＷ、ＤＶＤ＋ＲＷ、ＤＶＤ−ＲＡＭ、ＣＤ−Ｒ、ＣＤ−ＲＷ等が規格化され、実用化されている。
ＢＤのフォーマットによるデータ容量は、片面１記録層当たり２５ＧＢ、又は、再生信号の波形等化信号処理による誤りの少ない読み出し技術等の導入により３３ＧＢである。
【０００４】
現在、更なる大容量高転送レートを実現する記録方式として、光ディスク記録装置における集光レンズのＮＡを増大化させることが検討されている。
【０００５】
ところで、１より大きいＮＡを達成する手法として、エバネッセント波、すなわち界面から指数関数的に減衰する光（近接場光）を用いた記録再生方式（ニアフィールド光記録（Ｎｅａｒ  Ｆｉｅｌｄ  Ｏｐｔｉｃａｌ  Ｒｅｃｏｒｄｉｎｇ，  ＮＦＲ）再生方式）がある。
【０００６】
例えば、特許文献１には、対物用の光学レンズと固体浸レンズ（ソリッドイマージョンレンズ、Ｓｏｌｉｄ  Ｉｍｍｅｒｓｉｏｎ  Ｌｅｎｓ）（以下、ＳＩＬという）とを組み合わせて近接場光学系を構成し、光ディスクに近接場光を照射して情報の記録再生を行う装置が開示されている。
【０００７】
また、光ディスクには、ＧｅＳｂＴｅ等の書き換え型材料を用いた相変化光ディスクや、例えば、ＢｉＧｅＯ、ＴｅＯＰｄ、ＢｉＢＯ等の有機色素材料や無機系材料を記録膜に用いた１回書き込み（Ｗｒｉｔｅ  ｏｎｃｅ  ｒｅａｄ  ｍａｎｙ、ＷＯＲＭ）用の追記型光ディスクがある。
【０００８】
ここで、光ディスク記録装置において、光ヘッド（光ピックアップ）からレーザ光を対物レンズで集光して光ディスクに記録する際には、マークを安定に記録して、誤りなく再生する必要があり、レーザ駆動記録補償（ライトストラテジ（Ｗｒｉｔｅ  Ｓｔｒａｔｅｇｙ））技術が採用されている（例えば、特許文献２を参照）。光ディスク記録装置は、ＷＳにより、レーザ光を一様に照射するだけでなく、長いマークを記録する際に、記録膜に熱が蓄積することによる涙目形状と呼ばれるレーザ照射によるマークの後の端のマーク肥大化の現象を防いでいる。
【０００９】
例えば、光ディスク記録装置は、ＧｅＳｂＴｅを用いた光ディスク（例えば、ＢＤ−ＲＥ）に対して、主に、図６（ａ）に示すように、最大記録パワーＰ１１、バイアスパワーＰ１２及び冷却パワーＰ１３の３つのレーザパワー値で構成される、マルチパルス型ＷＳを適用してマークの記録を行い、再生においては、十分な信号対雑音比（Ｓ／Ｎ）を確保し、マークの時間タイミングずれ（ジッタ）が少なく、データの誤りの少ない、正確で安定な記録と再生を行っている。
【００１０】
また、光ディスク装置は、無機系材料のＢｉＢＯ等を用いた光ディスク（例えば、ＢＤ−Ｒ）に対して、主に、図６（ｂ）に示すように、最大記録パワーＰ２１、緩衝記録パワーＰ２２、バイアスパワーＰ２３及び冷却パワーＰ２４の４つのレーザパワー値で構成される、いわゆるキャッスル型と呼ばれるＷＳを適用し、上記と同様に、データの誤りなく、安定に記録再生を行っている。
【先行技術文献】
【特許文献】
【００１１】
【特許文献１】特開２００７−２９３９７９号公報
【特許文献２】特開２００９−２１７９３３号公報
【発明の概要】
【発明が解決しようとする課題】
【００１２】
ここで、ＮＡが１以上のＳＩＬを採用した近接場光記録を考える。なお、ＢＤで規格化されている対物レンズのＮＡは、０．８５である。
ＮＡがＢＤの２倍となる１．７のＳＩＬを採用した場合、ビームスポットの径がＢＤに比べて１／２となり、回折限界まで絞った記録用ビームスポットの面積がＢＤに比べて１／４となる。よって、ＮＡが１．７のＳＩＬを採用した場合、ＢＤと同様の記録パワーで照射したときには、ＢＤに比べて熱エネルギーの密度が上がることになる。
【００１３】
また、ＧｅＳｂＴｅを用いた光ディスクにおいては、マルチパルス型３値のＷＳを採用することにより、安定してマークの記録が行えることが分かっている。
ところで、ＷＯＲＭ用の無機系材料の記録膜の光ディスクに対してマルチパルス型３値のＷＳを採用した場合、蓄積される熱エネルギーが低すぎて、十分な記録マークを形成することが困難な問題がある。
【００１４】
一方、ＷＯＲＭ用の無機系材料の記録膜の光ディスクに対して、キャッスル型４値のＷＳを採用した場合、マルチパルス型３値のＷＳとは異なり、長い記録マークを形成するときに中間のパワーを下げすぎないため、十分な記録マークを形成することができ、全体のレーザパワーが低くても十分なＳ／Ｎを得ることができるメリットがある。
しかし、記録マークのタイミング方向のずれ（ジッタ）については、ＷＳの形状が４値で複雑に駆動することによって、却って、悪化する問題がある。
【００１５】
本発明は、ＷＯＲＭ用の無機系材料の記録膜の光ディスクに対して、マルチパルスのＷＳにより記録マークを形成し、ジッタを軽減しつつ、高密度記録を行うことができる記録装置及び記録方法を提供することを一つの目的とする。
【課題を解決するための手段】
【００１６】
請求項１に記載された記録装置は、所定の無機系記録材料から構成される記録膜を有する追記型記録媒体に対して情報を記録する記録装置において、記録データに基づいてライトストラテジ信号を生成する信号生成部と、前記ライトストラテジ信号に基づいてレーザ光を出射するレーザ光源部と、前記レーザ光源部から出射されたレーザ光を前記追記型記録媒体上に集光して記録マークを形成する記録部と、を備え、前記信号生成部は、前記記録データに基づいて、連続するＨｉｇｈ信号の数がｎ個以下の場合には、２段階の駆動波形により前記ライトストラテジ信号を生成し、連続するＨｉｇｈ信号の数がｎ個よりも多い場合には、３段階の駆動波形により前記ライトストラテジ信号を生成し、前記レーザ光源部は、前記ライトストラテジ信号が２段階の駆動波形の場合、当該駆動波形に基づいて、第１記録パワーと、前記第１記録パワーよりも強い第２記録パワーのレーザ光を組み合わせて出射し、前記ライトストラテジ信号が３段階の駆動波形の場合には、当該駆動波形に基づいて、前記第１記録パワーと、前記第２記録パワーと、前記第１記録パワーよりも強くかつ前記第２記録パワーよりも弱い第３記録パワーのレーザ光を組み合わせて出射する構成とした。
【００１７】
かかる構成によれば、記録装置は、ＷＯＲＭ用の無機系材料の記録膜の光ディスク（例えば、追記型ブルーレイ）に対して、マルチパルス型２値又は３値のＷＳを採用して記録マークを形成するので、ジッタを軽減しつつ、高密度記録を行うことができる。
【００１８】
請求項２に記載された記録装置では、前記記録部は、前記レーザ光源部から出射されたレーザ光を前記追記型記録媒体上に集光する固体浸レンズを有する近接場光記録部により構成されてもよい。
【００１９】
かかる構成によれば、記録装置は、近接場光を利用することにより、ＷＯＲＭ用の無機系材料の記録膜の光ディスクに対して、マルチパルス型２値又は３値のＷＳを採用して記録マークを形成するので、ジッタを軽減しつつ、超高密度記録を行うことができる。
【００２０】
請求項３に記載された記録装置では、前記第１記録パワーは、バイアスパワーであり、前記第２記録パワーは、最大記録パワーであり、前記第３記録パワーは、緩和記録パワーであってもよい。
【００２１】
かかる構成によれば、記録装置は、従来装置のようにバイアスパワーよりも低いパワーを使用せず、ＷＳの形状を複雑に駆動しないので、ジッタを軽減しつつ、高密度記録を行うことができる。
【００２２】
請求項４に記載された記録装置では、前記バイアスパワーは、前記最大記録パワーの２０パーセントから５０パーセントのパワーであってもよい。
【００２３】
かかる構成によれば、記録装置は、ジッタを軽減しつつ、安定的に高密度記録を行うことができる。
【００２４】
請求項５に記載された記録装置では、前記緩和記録パワーは、前記最大記録パワーの８５パーセントから９８パーセントのパワーであってもよい。
【００２５】
かかる構成によれば、記録装置は、ジッタを軽減しつつ、安定的に高密度記録を行うことができる。
【００２６】
請求項６に記載された記録方法は、所定の無機系記録材料から構成される記録膜を有する追記型記録媒体に対して情報を記録する記録方法において、記録データに基づいてライトストラテジ信号を生成する信号生成工程と、前記ライトストラテジ信号に基づいてレーザ光を出射するレーザ光出射工程と、前記レーザ光出射工程により出射されたレーザ光を前記追記型記録媒体上に集光する集光工程と、を備え、前記信号生成工程は、前記記録データに基づいて、連続するＨｉｇｈ信号の数がｎ個以下の場合には、２段階の駆動波形により前記ライトストラテジ信号を生成し、連続するＨｉｇｈ信号の数がｎ個よりも多い場合には、３段階の駆動波形により前記ライトストラテジ信号を生成し、前記レーザ光出射工程は、前記ライトストラテジ信号が２段階の駆動波形の場合、当該駆動波形に基づいて、第１記録パワーと、前記第１記録パワーよりも強い第２記録パワーのレーザ光を組み合わせて出射し、前記ライトストラテジ信号が３段階の駆動波形の場合には、当該駆動波形に基づいて、前記第１記録パワーと、前記第２記録パワーと、前記第１記録パワーよりも強くかつ前記第２記録パワーよりも弱い第３記録パワーのレーザ光を組み合わせて出射する構成である。
【００２７】
かかる構成によれば、記録方法は、ＷＯＲＭ用の無機系材料の記録膜の光ディスクに対して、マルチパルス型２値又は３値のＷＳを採用して記録マークを形成するので、ジッタを軽減しつつ、高密度記録を行うことができる。
【発明の効果】
【００２８】
本発明は、ＷＯＲＭ用の無機系材料の記録膜の光ディスクに対して、マルチパルスのＷＳにより記録マークを形成し、ジッタを軽減しつつ、高密度記録を行うことができる。
【図面の簡単な説明】
【００２９】
【図１】追記型記録媒体の断面図である。
【図２】記録装置の構成を示すブロック図である。
【図３】ＷＳ信号の波形と、追記型記録媒体の記録トラックに形成される記録マークについての説明に供する図である。
【図４】信号生成部の構成を示すブロック図である。
【図５】記録データをＷＳ信号に変換する際の処理についての説明に供する図である。
【図６】従来装置により生成されたＷＳ信号の波形と、記録トラックに形成される記録マークについての説明に供する図である。
【発明を実施するための形態】
【００３０】
以下、本発明の実施の形態について図面を参照して説明する。
記録装置１は、所定の無機系記録材料から構成される記録膜を有する追記型記録媒体２に対して情報を記録する。所定の無機系記録材料とは、例えば、ＢｉＢＧｅＯである。なお、ＢｉＢＧｅＯ以外でもよく、例えば、ＢｉＧｅＯ、ＢｉＢＯ等でもよい。
また、無機系記録材料から構成される記録膜を有する追記型記録媒体２とは、ＷＯＲＭ（ｗｒｉｔｅ  ｏｎｃｅ  ｒｅａｄ  ｍａｎｙ）用の無機系材料の記録膜の光ディスクと同義である。
【００３１】
追記型記録媒体２の断面を図１に示す。追記型記録媒体２は、トラック溝が形成された基板（例えば、ポリカーボネイト）２１上に、反射層（例えば、Ａｇ−ａｌｌｏｙ）２２、中間層（例えば、ＳｉＮ）２３、下部誘電体層（例えば、ＺｎＳ−ＳｉＯ２）２４、記録層（例えば、ＢｉＢＧｅＯ）２５、上部誘電体層（例えば、ＺｎＳ−ＳｉＯ２）２６、表面層（例えば、ＳｉＮ）２７が形成されている。本実施例では、追記型記録媒体２の直径は、１２０ｍｍ、トラックピッチは、１６０ｎｍである。
また、記録マークは、ランド側のみ、グルーブ側のみ、又は、ランド側及びグルーブ側の双方に形成されてもよい。
【００３２】
また、記録装置１は、図２に示すように、信号生成部１１と、レーザ光源部１２と、記録部１３と、を備える。
信号生成部１１は、記録データに基づいてライトストラテジ信号（以下、ＷＳ信号という）を生成する。
レーザ光源部１２は、ＷＳ信号に基づいてレーザ光を出射する。
記録部１３は、レーザ光源部１２から出射されたレーザ光を追記型記録媒体上に集光して記録マークを形成する。
【００３３】
信号生成部１１は、記録データに基づいて、連続するＨｉｇｈ信号の数がｎ個以下の場合には、２段階の駆動波形によりＷＳ信号を生成し、連続するＨｉｇｈ信号の数がｎ個よりも多い場合には、３段階の駆動波形によりＷＳ信号を生成する。
【００３４】
ここで、ＢＤに採用されている１−７ｐｐ符号に記録変調された信号の変換について説明する。信号生成部１１は、入力される記録データのクロックの長さＴ（ｎｓｅｃ）に応じて、２Ｔから９Ｔの記録マークとスペースの組み合わせに変換する。
【００３５】
また、信号生成部１１に入力される記録データは、Ｈｉｇｈ信号（以下、「１」と表現する）とＬｏｗ信号（以下、「０」と表現する）により構成されている。
例えば、信号生成部１１は、記録データが「・・・１１１・・・」の場合には、３Ｔの記録マークとスペースの組み合わせに変換する。
【００３６】
また、信号生成部１１は、連続するＨｉｇｈ信号の数がｎ（例えば、４）個以下の場合、すなわち、２Ｔから４Ｔの場合には、２段階の駆動波形によりＷＳ信号を生成し、連続するＨｉｇｈ信号の数がｎ（例えば、４）個よりも多い場合、すなわち、５Ｔから９Ｔの場合には、３段階の駆動波形によりＷＳ信号を生成する。
【００３７】
レーザ光源部１２は、ＷＳ信号が２段階の駆動波形の場合、当該駆動波形に基づいて、第１記録パワーと、第１記録パワーよりも強い第２記録パワーのレーザ光を組み合わせて出射し、ＷＳ信号が３段階の駆動波形の場合には、当該駆動波形に基づいて、第１記録パワーと、第２記録パワーと、第１記録パワーよりも強くかつ第２記録パワーよりも弱い第３記録パワーのレーザ光を組み合わせて出射する。
【００３８】
かかる構成によれば、記録装置１は、無機系記録材料から構成される記録膜を有する追記型記録媒体２に対して、マルチパルス型２値又は３値のＷＳを採用して記録マークを形成するので、ジッタを軽減しつつ、高密度記録を行うことができる。
なお、記録部１３は、レーザ光源部１２から出射されたレーザ光を追記型記録媒体上に集光する固体浸レンズを有する近接場光記録部により構成されてもよい。かかる構成によれば、記録装置１は、近接場光を利用することにより、追記型記録媒体２に対して、マルチパルス型２値又は３値のＷＳを採用して記録マークを形成するので、ジッタを軽減しつつ、超高密度記録を行うことができる。
【００３９】
第１記録パワーは、例えば、バイアスパワーＰ１である。第２記録パワーは、例えば、最大記録パワーＰ２である。第３記録パワーは、例えば、緩和記録パワーＰ３である。
また、バイアスパワーＰ１は、例えば、最大記録パワーＰ２の２０パーセントから５０パーセントのパワーである。
また、緩和記録パワーＰ３は、例えば、最大記録パワーＰ２の８５パーセントから９８パーセントのパワーである。
【００４０】
ここで、図３に、本実施例に係るＷＳ信号の波形を示す。なお、図３では、２Ｔと５Ｔの記録データ「０１１００１１１１１」をＷＳ信号に変換した一例を示している。また、本実施例では、バイアスパワーＰ１は、１．１０ｍＷに設定し、最大記録パワーＰ２は、２．６０ｍＷに設定し、緩和記録パワーＰ３は、２．５５ｍＷに設定しているが、これに限られない。また、ＷＳ信号における緩和記録パワーＰ３は、図３（ａ）に示すように、フラット形状でもよいし、図３（ｂ）に示すように、櫛形形状でもよい。
【００４１】
図３に示すように、信号生成部１１は、２Ｔの記録データをバイアスパワーＰ１と最大記録パワーＰ２からなるＷＳ信号に変換する。また、信号生成部１１は、５Ｔの記録データをバイアスパワーＰ１と最大記録パワーＰ２と緩和記録パワーＰ３からなるＷＳ信号に変換する。
【００４２】
かかる構成によれば、記録装置１は、従来装置のようにバイアスパワーＰ１よりも低いパワーを使用せず、ＷＳ信号の形状を複雑に駆動しないので、ジッタを軽減しつつ、追記型記録媒体２に対して高密度記録を行うことができる。
【００４３】
つぎに、記録装置１により５Ｔの記録データをＷＳ信号に変換する際の具体的な処理について説明する。
信号生成部１１は、図４に示すように、クロック信号生成部１１１と、Ｗｒ１信号生成部１１２と、Ｗｒ２信号生成部１１３と、Ｗｒ３信号生成部１１４と、ＩＮＨＡＢＩＴパルス生成部１１５と、ＷＳ信号生成部１１６と、を備える。
【００４４】
クロック信号生成部１１１は、記録データの時刻基準となるクロック信号を生成する。
Ｗｒ１信号生成部１１２は、記録データに基づいて、最大記録パワーＰ２を出力させるためのＷｒ１信号を生成する。
Ｗｒ２信号生成部１１３は、記録データに基づいて、バイアスパワーＰ１を出力させるためのＷｒ２信号を生成する。図５に示す例では、Ｗｒ２信号は、ＬｏｗでＡｃｔｉｖｅを示している。
Ｗｒ３信号生成部１１４は、記録データに基づいて、緩衝記録パワーＰ３を出力させるため、Ｗｒ３信号を生成する。
ＩＮＨＩＢＩＴパルス生成部１１５は、Ａｃｔｉｖｅな時間を指定するＩＮＨＡＢＩＴ信号を生成する。
【００４５】
ＷＳ信号生成部１１６は、ＩＮＨＡＢＩＴ信号に基づいて、Ｗｒ１信号、Ｗｒ２信号及びＷｒ３信号を合成し、ＷＳ信号を生成する。
ＷＳ信号生成部１１６は、クロック信号に基づいて、ＷＳ信号をレーザ光源部１２に出力する。
レーザ光源部１２は、ＷＳ信号に基づいて、バイアスパワーＰ１、最大記録パワーＰ２及び緩衝記録パワーＰ３により構成されるレーザ光を記録部１３に出射する。
【００４６】
つぎに、実験結果について説明する。実験では、ＳＩＬを搭載した、本実施例に係る記録装置により光ディスクに記録マークを形成し、当該記録マークのクロックタイミングとのずれ具合であるジッタ値を評価した。記録条件は、波長４０５ｎｍのレーザ光源と、ＮＡ１．８４のＳＩＬを搭載した対物レンズを記録装置のヘッドに搭載し、線速度２．４６ｍ／ｓで回転する直径１２０ｍｍのトラックピッチ１６０ｎｍの光ディスク媒体（図１に示すような記録層を積層して作製した媒体）に対し、ＳＩＬとディスク表面の距離（ギャップ）を１８ｎｍの間隔に近接保持するギャップサーボ動作と、上記幅のトラック（グルーブ）に追従するためのトラッキングサーボ動作を実行し、ランレングス（１，７）制限の１−７ＰＰ記録変調により、最短マーク長７４．５ｎｍの条件で、記録容量１００ＧＢ相当、転送レート３６Ｍｂｐｓで記録再生を行った。なお、タイムインターバルアナライザ（横河メータ＆インスツルメンツ（株）製）により再生信号のトータルジッタ値を測定し、評価を行った。また、ビット誤り率の比較も行った。
【００４７】
従来装置によるキャッスル型４値ＷＳ信号（例えば、図６（ｂ）に示すようなＷＳ信号）に基づく記録マーク（以下、従来記録マークという）と、本実施例に係る記録装置１による３値ＷＳ信号に基づく記録マーク（以下、本実施例記録マークという）とを比較すると、低記録パワー（２．６０ｍＷ、２．５５ｍＷ、１．００ｍＷ及び０．０５ｍＷ）の場合には、従来記録マークのジッタ値は、１７．８パーセントであり、本実施例の記録パワー（２．６０ｍＷ、２．５５ｍＷ、１．００ｍＷ）の場合の記録マークのジッタ値は、１６．８パーセントである。このようにして、本実施例記録マークは、従来記録マークよりもジッタ値が改善されている。
【００４８】
また、高記録パワー（４．１０ｍＷ、４．００ｍＷ、１．１０ｍＷ及び０．１０ｍＷ）の場合には、従来記録マークのジッタ値は、１４．６パーセントであり、本実施例の記録パワー（４．１０ｍＷ、４．００ｍＷ、１．１０ｍＷ）の場合の記録マークのジッタは、１４．２パーセントである。このようにして、高記録パワーにおいても、本実施例記録マークは、従来記録マークよりもジッタ値が改善されている。
【００４９】
さらに、従来記録マークのビット誤り率は、１×１０−３であるのに対して、本実施例記録マークのビット誤り率は、８×１０−４である。よって、本実施例に係る記録装置１は、従来装置よりも、追記型記録媒体２に対して安定に記録マークを形成することができる。なお、記録装置１は、ＷＳ信号の全体のタイミングとパワーの精緻な最適化を図ることで、ジッタ値をさらに低減することができる。
【００５０】
また、本実施例では、主に記録装置の構成と動作について説明したが、これに限られず、各構成要素を備え、ＷＯＲＭ用の無機系材料の記録膜の光ディスクに対して、マルチパルスのＷＳにより記録マークを形成し、ジッタを軽減しつつ、高密度記録を行うための方法、及びプログラムとして構成されてもよい。
【００５１】
さらに、記録装置の機能を実現するためのプログラムをコンピュータで読み取り可能な記録媒体に記録して、この記録媒体に記録されたプログラムをコンピュータシステムに読み込ませ、実行することによって実現してもよい。
【００５２】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００５３】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【符号の説明】
【００５４】
１  記録装置
２  追記型記録媒体
１１  信号生成部
１２  レーザ光源部
１３  記録部
１１１  クロック信号生成部
１１２  Ｗｒ１信号生成部
１１３  Ｗｒ２信号生成部
１１４  Ｗｒ３信号生成部
１１５  ＩＮＨＡＢＩＴパルス生成部
１１６  ＷＳ信号生成部
【図１】
2015005323.tif 000003
【図２】
2015005323.tif 000004
【図３】
2015005323.tif 000005
【図４】
2015005323.tif 000006
【図５】
2015005323.tif 000007
【図６】
2015005323.tif 000008